(57)【要約】      （修正有）【課題】農業用ハウス内に熱を対流させる、熱電球を用いた熱風装置を提供する。【解決手段】定格消費電力が１８０〜３８０Ｗである熱電球１００と、熱電球用ソケットを備えた反射笠２００と、反射笠２００の最大外径よりも大きい内径に形成された内面が備えられた円筒状の外部ケーシング３００と、反射笠２００に連結され、反射笠２００が外部ケーシング３００の中心軸上に備えられるように外部ケーシング３００に固定される反射笠固定部４００と、回転により気流を生成するインペラ５００と、インペラ５００に連結され、インペラ５００を回転させる防水モーター６００と、防水モーター６００に連結され、インペラ５００を反射笠２００と一定距離離隔させ、インペラ５００が外部ケーシング３００の中心軸上に備えられるように外部ケーシング３００に固定されるモーター固定部７００と、を含む。【選択図】図１
0003204497.tif 000002
【実用新案登録請求の範囲】
【請求項１】
定格消費電力が１８０〜３８０Ｗである熱電球と、
前記熱電球用ソケットを備えた反射笠と、
前記反射笠の最大外径よりも大きい内径に形成された内面が備えられた円筒状の外部ケーシングと、
前記反射笠に連結され、前記反射笠が前記外部ケーシングの中心軸上に備えられるように前記外部ケーシングに固定される反射笠固定部と、
回転により気流を生成するインペラと、
前記インペラに連結され、前記インペラを回転させる防水モーターと、
前記防水モーターに連結され、前記インペラを前記反射笠と一定距離離隔させ、前記インペラが前記外部ケーシングの中心軸上に備えられるように前記外部ケーシングに固定されるモーター固定部と、
を含み、
前記反射笠は、前記熱電球がソケットに連結された状態で、前記熱電球が外部に突出しないように、前記熱電球より１／３ほど長く形成され、
前記外部ケーシングは、前記反射笠、インペラ、及び防水モーターを内部に収容し、防水モーターが備えられる側の直径が反射笠が備えられる側の直径より１／２５ほど小さく形成され、
前記外部ケーシングで前記反射笠が備えられる端部に結合される作物保護網をさらに含むことを特徴とする熱電球を用いた熱風装置。
【考案の詳細な説明】
【技術分野】
【０００１】
本考案は、熱電球を用いた熱風装置及び熱電球を用いた熱風装置が設けられたブドウやトマト農業用ハウスに関し、より詳細には、赤外線を放出する熱電球を熱源として使用し、モーター及びインペラを用いてハウス内に熱源を対流させる熱電球を用いた熱風装置及び熱電球を用いた熱風装置が設けられたブドウやトマト農業用ハウスに関する。
【背景技術】
【０００２】
朝鮮半島内のブドウ主産地は多い。 南部海岸地方から休戦ライン付近までブドウ畑が散在している。一見、我々の土地からブドウ栽培がうまくいくように思いかねないが、実際はそうではない。朝鮮半島でのブドウ栽培は、非常に難しい農業である。ブドウは夏に実をつけて秋に熟するが、その期間に梅雨があるからである。ブドウは、湿気が多いと、真菌性疾患が回って裂果(果物が割れる現象)が発生する。そのため、朝鮮半島でブドウを栽培することが難しい。したがって、最近のブドウ栽培は、防雨(ハウス栽培)をするのが一般的である。防雨をすると、雨がたくさん降ってもブドウが水分の吸収を少なくするので、糖度が上がり、真菌性疾患と熱の発生も少ない。
【０００３】
このような朝鮮半島の自然環境は、ブドウの品種にも影響を及ぼしている。韓国で栽培するブドウの７０％程度は、キャンベルである。キャンベルの後ろに「アーリー」(Ｅａｒｌｙ)が付くこともあるが、これは早生種という意味である。キャンベルは、米国の品種であって、韓国内の栽培の歴史は、１００年以上になる。特有の甘くて酸っぱい香りがある。キャンベルは、糖度が高くなく皮も厚いので、おいしい品種であると言えない。それにも拘らず、キャンベルが我々の土地に大きく広がったのは、冬の酷寒と夏の酷暑をよく耐え、単位面積当たりの収穫量も多いからである。巨峰がキャンベルの次に生産量が多い。巨峰は、１９４０年代に日本で育種された品種である。非常に甘く、ぼれぼれするので、 韓国人の好みにぴったりという評価を受けている。特に、キャンベルが持っている酸っぱい味がないので、食べやすい。
【０００４】
農業は、収穫期にのみ忙しいのではなく、中間に非常に手間がかかる。また、その中間の作業が、農産物の味を決定することになる。
【０００５】
１２月中旬に加温(ハウスにボイラーをつけて一定の温度に上げること)に入ったハウスで栽培されたブドウは、４月末や５月初めに収穫することができる。これは、梅雨が始まる前にブドウを収穫するためであり、遅くとも７月中旬以前にブドウを収穫することが梅雨による被害を最小限に抑えることができる。
【０００６】
一般的に、ブドウは、加温後、５ヶ月程度が経過してから収穫が可能である。
【０００７】
加温してから一ヶ月であれば芽が出て、また、一ヶ月が経過すれば花が咲き、花が咲いた後に三ヶ月であれば、ブドウを収穫することができる。
【０００８】
ハウスも病害虫が全くないわけではない。雨を遮断するので真菌性疾患は少ないが、アザミウマ、ダニなどがつく。親環境農薬でこれを駆除することができるが、高価であるという問題点がある。
【０００９】
ブドウは、糖度を上げることが何よりも重要である。韓国の消費者は、非常に甘いブドウが好きだからである。平均１８ブリックス以上に上げるため、収穫期に至ると、根をやっと濡らす程度の水のみを与える。３〜４月には、カエデの樹液を与えることもある。ぶどうを大きく育てないことも一つの要領であると言える。
【００１０】
ハウス内の温度を上げるため、一般的にボイラーを温風装置として使用し、ボイラーから出る温風は、大きなビニールチューブを介してハウス内のあちこちに供給される。最近、油類価格が上がってハウス農家の加温に使用される費用が負担になるのが、実情である。
【００１１】
韓国登録特許１０−１０７４７５７には、施設ハウス用地中冷温風熱交換装置が開示されている。
【先行技術文献】
【特許文献】
【００１２】
【特許文献１】韓国登録特許１０−１０７４７５７(登録日：２０１１年１０月１２日)
【考案の概要】
【考案が解決しようとする課題】
【００１３】
したがって、本考案は、前記のような問題点を解決するために案出されたもので、本考案の目的は、赤外線を放出する熱電球を熱源として使用し、モーター及びインペラを用いてハウス内に熱源を対流させる熱電球を用いた熱風装置及び熱電球を用いた熱風装置が設けられたブドウやトマト農業用ハウスを提供することである。
【００１４】
本考案の実施例の目的は、以上で言及した目的に制限されるものでなく、言及されていないもう一つの目的は、以下の記載から本考案が属する技術分野で通常の知識を有する者に明確に理解されるだろう。
【課題を解決するための手段】
【００１５】
前記のような目的を達成するための本考案の一実施例に係る熱電球を用いた熱風装置は、定格消費電力が１８０〜３８０Ｗである熱電球１００と、前記熱電球１００用ソケット２１０を備えた反射笠２００と、前記反射笠２００の最大外径よりも大きい内径に形成された内面が備えられた円筒状の外部ケーシング３００と、前記反射笠２００に連結され、前記反射笠２００が前記外部ケーシング３００の中心軸上に備えられるように前記外部ケーシング３００に固定される反射笠固定部４００と、回転により気流を生成するインペラ５００と、前記インペラ５００に連結され、前記インペラ５００を回転させる防水モーター６００と、前記防水モーター６００に連結され、前記インペラ５００を前記反射笠２００と一定距離を離隔させ、前記インペラ５００が前記外部ケーシング３００の中心軸上に備えられるように前記外部ケーシング３００に固定されるモーター固定部７００と、を含むことを特徴とする。
【００１６】
また、前記反射笠２００は、前記熱電球１００がソケット２１０に連結された状態で前記熱電球１００が外部に突出しないように、前記熱電球１００よりも長く形成されたことを特徴とする。
【００１７】
また、前記外部ケーシング３００は、前記反射笠２００、インペラ５００及び防水モーター６００を内部に収容し、防水モーター６００が備えられる側の直径が反射笠２００が備えられる側の直径より小さいことを特徴とする。
【００１８】
また、前記外部ケーシング３００は、外周面上にチェーン３２０と連結可能なチェーン連結部３１０をさらに含むことを特徴とする。
【００１９】
併せて、本考案の一実施例に係る熱電球を用いた熱風装置が設けられたブドウやトマト農業用ハウスは、作物が一定の高さを一定の水準に保持するための水平フレーム１０の高さが、地上から１４０〜１５０ｃｍであり、中央の高さが３００〜４５０ｃｍであるハウスの中央の畝間に一列に熱電球を用いた熱風装置１０００を設けるが、前記熱電球を用いた熱風装置１０００を地上から１２０〜１４０ｃｍの高さに設け、前記熱電球を用いた熱風装置１０００との間の距離は１６ｍ以内に設けて３０坪あたり１つの前記熱電球を用いた熱風装置１０００が配置されるように設けることを特徴とする。
【考案の効果】
【００２０】
本考案の一実施例に係る熱電球を用いた熱風装置及び熱電球を用いた熱風装置が設けられたブドウやトマト農業用ハウスによると、熱源として熱電球を使用することにより、ボイラーを用いることに比べて加温コストを削減できる効果がある。
【００２１】
また、熱電球から発生された赤外線によって親環境農薬などの使用を減らすことができる効果がある。
【００２２】
また、ボイラーより簡単な施工で施工コストを削減できる効果がある。
【００２３】
また、ボイラーより細々とした故障がなく、メンテナンスコストを削減できる効果があり、専門的な技術がなくても簡単に交換することができる効果がある。
【００２４】
また、チェーンで外部ケーシングを固定させることにより、作業者がぶつかって怪我を負う事故を防ぐことができる効果がある。
【００２５】
併せて、地上から１２０〜１４０ｃｍの高さに１６ｍ以内の間隔で３０坪あたり１つの熱電球を用いた熱風装置が配置されるようにすることにより、消費電力対比作物の生長に伴う効果を最大化することができる効果がある。
【図面の簡単な説明】
【００２６】
【図１】本考案の一実施例に係る熱電球を用いた熱風装置の分解斜視図である。
【図２】図１の熱電球、反射笠及び反射笠固定部を示す斜視図である。
【図３】図１のインペラ、防水モーター、及びモーター固定部を示す斜視図である。
【図４】図１の部分断面図である。
【図５】図１の熱電球及び反射笠が結合された断面図である。
【図６】図１の熱電球、反射笠、及び外部ケーシングが結合された断面図である。
【図７】図１に作物保護網が追加された斜視図である。
【図８】本考案の一実施例に係る熱電球を用いた熱風装置が設けられたブドウやトマト農業用ハウスの概念図である。
【考案を実施するための形態】
【００２７】
以下、添付された図面を参照して、本考案をさらに詳細に説明する。これに先立ち、本明細書及び請求の範囲に使用された用語や単語は、通常の、もしくわ、辞書的な意味に限定して解釈されてはならず、考案者は、自身の考案を最善の方法で説明するために用語の概念を適切に定義することができるという原則に立脚して、本考案の技術的思想に符合する意味と概念に解釈されるべきである。また、使用される技術用語及び科学用語において他の定義がない場合は、この考案が属する技術分野で通常の知識を有する者が通常理解している意味を有し、下記の説明及び添付図面から本考案の要旨を不必要に曖昧にする公知機能及び構成に対する説明は、省略する。次に紹介される図面は、当業者に本考案の思想が十分に伝達されるようにするため、例として提供されるものである。したがって、本考案は、以下に提示される図面に限定されず、他の形態で具体化することもできる。 また、明細書全体にわたって同じ参照番号は、同じ構成要素を示す。図面の中で同じ構成要素は、可能な限りどこでも同じ符号で示していることに注意しなければならない。
【００２８】
図１は、本考案の一実施例に係る熱電球を用いた熱風装置の分解斜視図であり、図２は、図１の熱電球、反射笠及び反射笠固定部を示す斜視図であり、図３は、図１のインペラ、防水モーター、及びモーター固定部を示す斜視図であり、図４は、図１の部分断面図であり、図５は、図１の熱電球及び反射笠が結合された断面図であり、図６は、図１の熱電球、反射笠、及び外部ケーシングが結合された断面図であり、図７は、図１に作物保護網が追加された斜視図であり、図８は、本考案の一実施例に係る熱電球を用いた熱風装置が設けられたブドウやトマト農業用ハウスの概念図である。
【００２９】
図１〜図３に示すように、本考案の一実施例に係る熱電球を用いた熱風装置１０００は、熱電球１００、反射笠２００、外部ケーシング３００、反射笠固定部４００、インペラ５００、防水モーター６００、及びモーター固定部７００を含む。
【００３０】
熱電球１００は、定格消費電力が１８０〜３８０Ｗである。
【００３１】
熱電球(Ｈｅａｔ ｌａｍｐ)１００の定格消費電力(出力)が低ければ(１００Ｗ程度)、作物の生長に役に立たず、熱電球１００の定格消費電力(出力)が高ければ(５００Ｗ程度)、作物の葉が焼ける現象が発生して作物を毀損させることになる。
【００３２】
したがって、定格消費電力が１８０〜３８０Ｗ程度の熱電球１００を使用することが好ましく、定格消費電力が２５０Ｗの熱電球１００を使用した場合、最も作物の生長に適合したことを長年の実験を通じて確認した。つまり、２５０Ｗの熱電球１００を使用することが最も好ましい。
【００３３】
前記熱電球１００は、Ｅ２６ベースの一般ソケットと連結可能なものを使用することが好ましく、２２０Ｖの定格入力電力を使用することができることが好ましい。
【００３４】
一般的に、前記熱電球１００の平均寿命は、約２０００時間(電圧によって寿命が異なる場合がある)程度であり、赤外線を多量放出するものを使用することが好ましい。赤外線は、対象物(作物)に浸透して内部から水分を吸収し、作物の疾病(病虫害など)に対する免疫力を強化させることができる。
【００３５】
つまり、ボイラーを代替して前記熱電球１００を熱源として使用することにより、親環境農薬などの使用を減らしても、赤外線を用いて病虫害を予防することができる。
【００３６】
図４に示すように、反射笠２００は、前記熱電球１００用ソケット２１０を備える。
【００３７】
図５に示すように、前記反射笠２００は、前記熱電球１００がソケット２１０に連結された状態で前記熱電球１００が外部に突出しないように、前記熱電球１００よりも長く形成されたことを特徴とする。
【００３８】
前記ソケット２１０は、Ｅ２６ベースの一般ソケットを使用することができ、前記反射笠２００は、ソケット２１０側端の径ａが７ｃｍ、ソケット２１０側端から開放された側端までの長さｂが２０ｃｍで形成することができ、前記ソケット２１０が形成された柱側の長さｃを７ｃｍに形成し、反射笠２００の開放された側の直径ｄを１５ｃｍに形成することが、一般的に使用される熱電球１００(長さｅが１５ｃｍの熱電球)の光を遮断し、前記熱電球１００から発生した熱をハウス内に供給するのに適する。
【００３９】
これは、前記熱電球１００の光が作物に照射されると、作物が受精できない可能性があるからである。
【００４０】
外部ケーシング３００は、前記反射笠２００の最大外径よりも大きい内径に形成された内面が備えられた円筒状に形成される。
【００４１】
このとき、前記外部ケーシング３００は、前記反射笠２００、インペラ５００、及び防水モーター６００を内部に収容し、防水モーター６００が備えられる側の直径が反射笠２００が備えられる側の直径より小さいことを特徴とする。
【００４２】
このとき、前記外部ケーシング３００は、互いに異なる直径が形成された柱が連結された形状に段差があるように形成されることができる。また、このように段差がある部分が多数形成されることができる。
【００４３】
これは、インペラ５００及び防水モーター６００の直径が、前記反射笠２００の直径より小さいからである。
【００４４】
図６に示すように、前記外部ケーシング３００は、防水モーター６００が備えられる側の直径ｆを２４ｃｍに形成し、反射笠２００が備えられる側の直径ｇを２５ｃｍに形成し、前記反射笠２００が備えられる側の柱の長さｈを２６ｃｍに形成し、前記外部ケーシング３００全体の長さを４０ｃｍに形成することが前記反射笠２００、インペラ５００及び防水モーター６００を外部ケーシング３００の内に収容して、前記熱電球１００から生成された熱を前記インペラ５００及び防水モーター６００を用いてハウス内に供給するのに適する。
【００４５】
また、前記外部ケーシング３００は、外周面上にチェーン３２０と連結可能なチェーン連結部３１０をさらに含んでもよい。(図１参照)
【００４６】
すなわち、前記外部ケーシング３００は、地上から１４０〜１５０ｃｍに設けられた水平フレームとチェーン３２０で連結して吊り下げることができるチェーン連結部３１０が外部ケーシング３００の外周面に形成されることができる。(図８参照)
【００４７】
前記水平フレームに外部ケーシング３００を硬い材質で固定させると、作物の栽培時に作業をしながら作業者がぶつかって怪我を負う事故が発生する可能性があり危険なので、チェーンで流動可能なように連結することが好ましい。
【００４８】
反射笠固定部４００は、前記反射笠２００に連結され、前記反射笠２００が前記外部ケーシング３００の中心軸上に備えられるように前記外部ケーシング３００に固定される。
【００４９】
前記反射笠固定部４００は、「コ」字状に形成されることがあり、中央に反射笠２００を締結し、両端を外部ケーシング３００に連結して外部ケーシング３００の中心軸上に反射笠２００が備えられるようにすることができる。(図２参照)
【００５０】
これは、反射笠２００が、外部ケーシング３００の中心軸上に位置することにより、いずれかの側に熱が偏ることを防止することができるので、均等に熱を拡散させることができる。
【００５１】
インペラ５００は、回転により気流を発生させる。
【００５２】
前記インペラ５００は、一般的なファンを使用することができるが、腐食を防止できるアルミニウムまたはステンレス材質などを使用することが好ましい。
【００５３】
図３に示すように、防水モーター６００は、前記インペラ５００に連結され、前記インペラ５００を回転させる。
【００５４】
すなわち、前記防水モーター６００は、インペラ５００を回転させるが、防水されなければならない。ビニールハウス内は、作物の栽培のためのスプリンクラー設備がされていることがあり、スプリンクラー設備がなくても、湿気が多いからである。
【００５５】
図３〜図４に示すように、モーター固定部７００は、前記防水モーター６００に連結され、前記インペラ５００を前記反射笠２００と一定距離離隔させ、前記インペラ５００が前記外部ケーシング３００の中心軸上に備えられるように前記外部ケーシング３００に固定される。
【００５６】
前記モーター固定部７００は、インペラ５００と連結された防水モーター６００を外部ケーシング３００に固定させるためのもので、インペラ５００が反射笠２００と一定距離離隔されるように、外部ケーシング３００に固定される。
【００５７】
これは、インペラ５００が反射笠２００に衝突することを防止するためのもので、１次的であるが、 反射笠２００にインペラ５００があまりにも近接して熱電球１００から発生された熱源がインペラ５００の後方に輻射されることを最小化させるためである。
【００５８】
図７に示すように、本考案の一実施例に係る熱電球を用いた熱風装置１０００は、前記外部ケーシング３００の先端に作物が外部ケーシング３００の内に入らないように作物保護網８００をさらに備えることができる。
【００５９】
図８に示すように、本考案の一実施例に係る熱電球を用いた熱風装置が設けられたブドウやトマト農業用ハウスは、作物が一定の高さを一定の水準に保持するための水平フレーム１０の高さが地上から１４０〜１５０ｃｍであり、中央の高さが３００〜４５０ｃｍであるハウスの中央畝間に一列に熱電球を用いた熱風装置１０００を設けるが、前記熱電球を用いた熱風装置１０００を地上から１２０〜１４０ｃｍの高さに設け、前記熱電球を用いた熱風装置１０００との間の距離は１６ｍ以内に設け、３０坪あたり１つの前記熱電球を用いた熱風装置１０００が配置されるように設けることを特徴とする。
【００６０】
ハウス一棟を幅６ｍ、長さ８０ｍ、中央の高さ３.３ｍ、肩の高さ１.８ｍ、地中深さ０.４ｍを基準(果樹ビニールハウス３種)として説明すると、
【００６１】
ハウスの中央畝間に沿って１６ｍ以内の間隔で一列に配置することができ、１６ｍ間隔で配置したことを例として挙げると、ハウスの始まる地点から８ｍ、２４ｍ、４０ｍ、５６ｍ、７２ｍ地点ごとに熱電球を用いた熱風装置１０００を設けることができる。
【００６２】
本考案は、前記実施例に限定されず、適用範囲が多様であることはいうまでもなく、請求の範囲で請求する本考案の要旨を逸脱することなく、様々な変形実施が可能なことは勿論である。
【符号の説明】
【００６３】
１０：水平フレーム
１００：熱電球
２００：反射笠
２１０：ソケット
３００：外部ケーシング
３１０：チェーン連結部
３２０：チェーン
４００：反射笠固定部
５００：インペラ
６００：防水モーター
７００：モーター固定部
８００：作物保護網
１０００：熱電球を用いた熱風装置 
【図１】
0003204497.tif 000003
【図２】
0003204497.tif 000004
【図３】
0003204497.tif 000005
【図４】
0003204497.tif 000006
【図５】
0003204497.tif 000007
【図６】
0003204497.tif 000008
【図７】
0003204497.tif 000009
【図８】
0003204497.tif 000010